(57)【要約】  放電プラズマ加工装置（１０１）は、被加工物（５）を加圧する加圧部としてのパンチ（２ａ，２ｂ）と、被加工物（５）にパルス電流を印加するためのパルス電流印加部としての直流パルス電流発生器（６）と、パルス電流の印加によって発生するプラズマの光のスペクトルを検出するための検出部としての分光器（１０）と、検出部の検出結果によってパルス電流を制御するための制御部（１２）とを備える。
2014020935.tif 000002
【特許請求の範囲】
【請求項１】
被加工物を加圧する加圧部と、
前記被加工物にパルス電流を印加するパルス電流印加部と、
前記パルス電流の印加によって発生するプラズマの光のスペクトルを検出する検出部と、
前記検出部の検出結果によって前記パルス電流を制御する制御部とを備える、放電プラズマ加工装置。
【請求項２】
前記加圧部は、前記被加工物を挟み込む２つのパンチと、前記２つのパンチおよび前記被加工物を取り囲むダイとを含み、
前記パルス電流印加部は前記２つのパンチの間に前記パルス電流を印加する、請求項１に記載の放電プラズマ加工装置。
【請求項３】
前記ダイは、一部が前記被加工物に対向する内側の面と、前記内側の面に対向する外側の面とを有し、前記ダイには、前記内側の面における被加工物に対向する部分と前記外側の面とを接続する貫通孔が設けられている、請求項２に記載の放電プラズマ加工装置。
【請求項４】
前記ダイは、赤外線を透過する材料からなる、請求項２に記載の放電プラズマ加工装置。
【請求項５】
前記検出部は、光ファイバと分光器とを含む、請求項１から４のいずれかに記載の放電プラズマ加工装置。
【請求項６】
前記検出部は、ＣＣＤ素子とレンズフィルタとを含む、請求項１から４のいずれかに記載の放電プラズマ加工装置。
【請求項７】
前記被加工物の近傍の温度を測定する熱検出部を備える、請求項１から６のいずれかに記載の放電プラズマ加工装置。
【請求項８】
被加工物に対する加圧を開始する工程と、
前記被加工物に対してパルス電流の印加を開始する工程と、
前記パルス電流の印加によって発生するプラズマの光のスペクトルを検出する工程と、
前記検出する工程による検出結果によって前記パルス電流を制御する工程とを含む、放電プラズマ加工品の製造方法。
【請求項９】
前記パルス電流の印加を開始する工程の前に、前記被加工物を２つのパンチで挟み込むようにして、前記２つのパンチおよび前記被加工物をダイの内部に配置する工程を含み、
前記パルス電流の印加を開始する工程では、前記２つのパンチの間に前記パルス電流を印加する、請求項８に記載の放電プラズマ加工品の製造方法。
【請求項１０】
前記ダイは、一部が前記被加工物に対向する内側の面と、前記内側の面に対向する外側の面とを有し、前記ダイには、前記内側の面における前記被加工物に対向する部分と前記外側の面とを接続する貫通孔が設けられている、請求項９に記載の放電プラズマ加工品の製造方法。
【請求項１１】
前記ダイは、赤外線を透過する材料からなる、請求項９に記載の放電プラズマ加工品の製造方法。
【請求項１２】
前記検出する工程には、光ファイバと分光器とを用いる、請求項８から１１のいずれかに記載の放電プラズマ加工品の製造方法。
【請求項１３】
前記検出する工程には、ＣＣＤ素子とフィルタレンズとを用いる、請求項８から１１のいずれかに記載の放電プラズマ加工品の製造方法。
【請求項１４】
前記被加工物の近傍の温度を測定する工程を含み、
前記温度を測定する工程による測定結果は、前記被加工物の近傍の温度の異常な変化を検出するために利用される、請求項８から１３のいずれかに記載の放電プラズマ加工品の製造方法。
【発明の詳細な説明】
【技術分野】
【０００１】
本発明は、放電プラズマ加工装置および放電プラズマ加工品の製造方法に関するものである。
【背景技術】
【０００２】
一般的に、「放電プラズマ加工法」が知られている。放電プラズマ加工法とは、２つのパンチの間に被加工物を配置した状態で、２つのパンチの間にパルス電流を印加して被加工物の温度を高くし、加圧することにより、被加工物を加工する方法である。【０００３】
特許第４３０１７６１号（特許文献１）には、放電プラズマ加工法により、２つの部材を接合することが開示されている。特開２０００−１２８６４８号公報（特許文献２）には、放電プラズマ加工法により、セラミックス粉体を焼結して焼結体を得ることが開示されている。国際公開公報ＷＯ２０１１／０８９９７１号（特許文献３）には、放電プラズマ加工法により、半導体結晶体を所望の形状に変形させることが開示されている。【０００４】
従来技術に基づく放電プラズマ加工法では、放電プラズマ加工装置において、通常、被加工物が配置されているダイに設けられた熱電対によって温度を測定し、その測定結果に基づいてパルス電流の制御が行われている。具体的には、熱電対で測定された被加工物の温度が放電プラズマ加工装置に搭載されているプログラム制御器に設定された温度プロファイルに合致するようにパルス電流を制御している。被加工物の温度を測定する方法としては、ダイに設けられた熱電対によって温度を測定する以外に、パンチに設けられた熱電対によって温度を測定する方法、放射温度計によって温度を測定する方法がある。また、パルス電流を制御する方法として、放電プラズマ加工装置に搭載されているプログラム制御器に設定された温度プロファイルに合致するようにパルス電流を制御する以外に、パルス電流プロファイルを設定する方法もある。【０００５】
従来技術に基づく放電プラズマ加工法を実施した例について説明する。ここでは、直径１５ｍｍで厚み３ｍｍの単結晶ゲルマニウムの試料を所望の形状に変形させる加工を例に説明する。図７は、従来技術に基づく放電プラズマ加工装置９０１の概念図である。【０００６】
図７に示すように、放電プラズマ加工装置９０１は、真空容器１と、上下方向に互いに対向する２つのパンチ２ａ，２ｂと、パンチ２ａ，２ｂを取り囲む円筒形のダイ３と、熱電対４と、パルス電流発生器６と、配線７ａ，７ｂと、変位部８ａ，８ｂとを備えている。パンチ２ａ，２ｂは、それぞれ導電性を有する。パンチ２ａ，２ｂとダイ３とは、真空容器１の内部に配置されている。被加工物５は、ダイ３の内部で２つのパンチ２ａ，２ｂに挟まれるように配置される。熱電対４は、被加工物５の加工中の温度を測定するために、一方の端部がダイ３の内部に至るように配置されている。変位部８ａ，８ｂにはそれぞれパンチ２ａ，２ｂが固定されており、変位部８ａ，８ｂはパンチ２ａ，２ｂをそれぞれ上下方向に変位させる。パルス電流発生器６は、配線７ａ，７ｂにより、パンチ２ａ，２ｂとそれぞれ電気的に接続されている。放電プラズマ加工装置９０１は、変位部８ａ，８ｂによるパンチ２ａ，２ｂの変位によって被加工物５を加圧するとともに、パルス電流発生器６からパンチ２ａ，２ｂ間にパルス電流を印加することにより、被加工物５を加工する。【０００７】
被加工物５である単結晶ゲルマニウムの試料を放電プラズマ加工装置９０１にセットし、パンチ２ａ，２ｂによって被加工物５を０．６ｋＮで加圧しながら、熱電対４による測定温度が１分間当たり５０℃ずつ上昇するようにパルス電流発生器６からパンチ２ａ，２ｂ間にパルス電流を印加した。その際の熱電対４で検出された温度と被加工物５である単結晶ゲルマニウムの試料の変形量との関係を図８に示す。試料の変形量はパンチ２ａ，２ｂの「変位量」として示されている。【０００８】
図８に示すように、被加工物５である単結晶ゲルマニウムの試料は、温度が上昇するにつれて膨張するが、４６０℃〜４８０℃で加圧によって変形を開始することが分かる。しかしながら、被加工物が変形を開始する温度は、被加工物の大きさ、パンチの大きさ（径）、ダイの大きさ、装置の予熱状態などによって変動する。このため、従来技術に基づく放電プラズマ加工法を実施した例では、上記の実験で得られた試料が変形を開始する温度から１００℃〜１５０℃高い温度である、５６０℃〜６３０℃を、被加工物が単結晶ゲルマニウムである場合の標準加工条件として設定している。
【先行技術文献】
【特許文献】
【０００９】
【特許文献１】特許第４３０１７６１号
【特許文献２】特開２０００−１２８６４８号公報
【特許文献３】国際公開公報ＷＯ２０１１／０８９９７１号
【発明の概要】
【発明が解決しようとする課題】
【００１０】
従来技術に基づく放電プラズマ加工法を用いた加工においては、何度も加工の試験を行なって、接合、焼結、変形などの開始温度や高温状態を保持する時間を調査することによって、加工条件、すなわち、加工を行なう温度を設定している。そして、試験結果に基づいて設定された加工条件で加工を行なうが、被加工物の大きさ、パンチの大きさ（径）、ダイの大きさ、装置の予熱状態などにより、設定された加工条件が加工に最適な条件とはならない可能性がある。このため、加工条件の設定においては、被加工物の大きさ、パンチの大きさ（径）、ダイの大きさ、装置の予熱状態等を考慮し、加工を行なう温度をあえて高くまたは低く設定する場合がある。【００１１】
しかし、設定された加工条件の加工温度が加工に最適な温度よりも高過ぎる場合には、被加工物が過剰な高温で加工されることになり、被加工物の品質劣化などが発生するともに、加工時に使用するエネルギーの損失が多くなるため使用される電力量も多くなる。また、パンチやダイも被加工物の加工に最適な温度より高い温度にさらされるため、熱負荷によってパンチやダイがダメージを受けやすくなり、パンチやダイの製品寿命が短くなる。さらに、大きな真空チャンバが必要となるため、装置が大きなものになり、熱損失が大きくなったり、装置のコストが上がったりする。【００１２】
一方、設定された加工条件の加工温度が加工に最適な温度よりも低過ぎる場合には、被加工物が適切に加工されないことがある。【００１３】
そこで、本発明は、被加工物を加工する際に過剰な高温となることを避け、かつ、被加工物の加工が適切になされるような放電プラズマ加工装置および放電プラズマ加工品の製造方法を提供することを目的とする。
【課題を解決するための手段】
【００１４】
上記目的を達成するため、本発明に基づく放電プラズマ加工装置は、被加工物を加圧する加圧部と、上記被加工物にパルス電流を印加するパルス電流印加部と、上記パルス電流の印加によって発生するプラズマの光のスペクトルを検出する検出部と、上記検出部の検出結果によって上記パルス電流を制御する制御部とを備える。【００１５】
また、本発明に基づく放電プラズマ加工品の製造方法は、被加工物に対する加圧を開始する工程と、上記被加工物に対してパルス電流の印加を開始する工程と、上記パルス電流の印加によって発生するプラズマの光のスペクトルを検出する工程と、上記検出する工程による検出結果によって上記パルス電流を制御する工程とを含む。
【発明の効果】
【００１６】
本発明によれば、加工中に発生するプラズマの光のスペクトルを検出することによって、パルス電流の制御が行なわれるので、加工に最適な温度で被加工物の加工を行なうことができる。すなわち、被加工物を加工する際に過剰な高温となることを避け、かつ、被加工物の加工が適切になされる。
【図面の簡単な説明】
【００１７】
【図１】本発明に基づく実施の形態１における放電プラズマ加工装置の概念図である。
【図２】本発明に基づく実施の形態１における放電プラズマ加工装置の被加工物近傍の拡大断面図である。
【図３】比較例１における圧力、温度、電流、および変位量の変化を示すグラフである。
【図４】本発明に基づく実施の形態１の実施例１における圧力、温度、電流、および変位量の変化を示すグラフである。
【図５】比較例２における温度、電流、および変位量の変化を示すグラフである。
【図６】本発明に基づく実施の形態１の実施例２における温度、電流、および変位量の変化を示すグラフである。
【図７】従来技術に基づく放電プラズマ加工装置の概念図である。
【図８】従来技術に基づく放電プラズマ加工装置において検出された温度と試料の変形量との関係を示すグラフである。
【発明を実施するための形態】
【００１８】
従来技術に基づく放電プラズマ加工法を用いた加工では、放電プラズマ加工装置において、被加工物が配置されているダイに設けられた熱電対によって温度を測定し、その測定結果に基づいてパルス電流の制御が行なわれている。
【００１９】
発明者らは、放電プラズマ加工中に、ある条件下で固有の波長をもつプラズマが発生し、被加工物の物性が変化していること、プラズマの光のスペクトルの発生温度と被加工物の変形開始温度とが近接していることを確認した。この原理を利用し、プラズマの光のスペクトルを検出してパルス電流の制御を行なえば、被加工物の大きさ、パンチの大きさ（径）、ダイの大きさ、装置の予熱状態などの変動要因に左右されない加工が可能になる。
【００２０】
そこで、本発明では、パルス電流の印加によって発生するプラズマの光のスペクトルを検出することによって、パルス電流の制御を行なう。
【００２１】
（実施の形態１）
図１および図２を参照して、本発明に基づく実施の形態１における放電プラズマ加工装置１０１について説明する。図１は、本実施の形態における放電プラズマ加工装置１０１の概念図である。図１に示すように、本実施の形態における放電プラズマ加工装置１０１は、真空容器１と、上下方向に互いに対向する２つのパンチ２ａ，２ｂと、円筒形のダイ３と、パルス電流発生器６と、配線７ａ，７ｂ，７ｃ，７ｄと、変位部８ａ，８ｂと、光ファイバ９と、分光器１０と、制御部１２とを備える。
【００２２】
図２は、本実施の形態における放電プラズマ加工装置１０１の被加工物５近傍の拡大断面図である。パンチ２ａ，２ｂは、それぞれ導電性を有し、円柱形である。パンチ２ａ，２ｂとダイ３とは、真空容器１の内部に配置されている。被加工物５は、ダイ３の内部で２つのパンチ２ａ，２ｂに挟まれるように配置される。
【００２３】
ダイ３は、パンチ２ａ，２ｂの間に配置されている被加工物５を取り囲むように設けられている。ダイ３には、ダイ３の内周面のうち被加工物５に対向する部分と外周面とを接続する貫通孔１３が設けられている。言い換えれば、ダイ３は、一部が被加工物５に対向する内側の面と該内側の面と対向する外側の面とを有しており、ダイ３には内側の面における被加工物５に対向する部分と外側の面とを接続する貫通孔１３が設けられている。このため、被加工物５の一部は、貫通孔１３によって外部に露出している。貫通孔１３の直径は、たとえば２ｍｍ程度である。
【００２４】
変位部８ａ，８ｂにはそれぞれパンチ２ａ，２ｂが固定されており、変位部８ａ，８ｂがパンチ２ａ，２ｂをそれぞれ上下方向に変位させる。放電プラズマ加工装置１０１では、変位部８ａ，８ｂによってパンチ２ａ，２ｂが変位し、パンチ２ａ，２ｂが被加工物５を加圧する。すなわち、パンチ２ａ，２ｂは被加工物５を加圧するための「加圧部」である。
【００２５】
パルス電流発生器６は、真空容器１の外部に配置されており、配線７ａ，７ｂによりパンチ２ａ，２ｂと電気的に接続されている。放電プラズマ加工装置１０１においては、パルス電流発生器６からパンチ２ａ，２ｂ間にパルス電流を印加する。すなわち、パルス電流発生器６は、被加工物５に対してパルス電流を印加するための「パルス電流印加部」である。
【００２６】
光ファイバ９と分光器１０とは、真空容器１の外部に配置されている。光ファイバ９は、分光器１０に接続されている。分光器１０は、配線７ｃにより制御部１２と電気的に接続されている。制御部１２は、配線７ｄによりパルス電流発生器６と電気的に接続されている。
【００２７】
真空容器１には、ダイ３の貫通孔１３と対向する部分に窓１１が設けられている。光ファイバ９は、窓１１に対向するように配置されている。具体的には、光ファイバ９は、ダイ３の貫通孔１３の延長線上に配置されている。このため、放電プラズマ加工装置１０１を用いた被加工物５の加工において、パルス電流発生器６からパンチ２ａ，２ｂ間にパルス電流を印加することにより被加工物５近傍で発生するプラズマの光は、貫通孔１３および窓１１を通過し、光ファイバ９によって受光される。光ファイバ９によって受光されたプラズマの光のスペクトルは、分光器１０によって検出される。すなわち、分光器１０は、プラズマの光のスペクトルを検出するための「検出部」である。そして、分光器１０の検出結果は、制御部１２に入力される。制御部１２は、分光器１０の検出結果に基づき、パルス電流発生器６からのパルス電流を制御する。
【００２８】
本実施の形態では、パルス電流の印加によって発生するプラズマの光のスペクトルを検出することによって、パルス電流の制御が行なわれるので、被加工物が加工に最適な温度となった状態で加工を行なうことができる。
【００２９】
これにより、被加工物が過剰な高温で加工されることがないため、被加工物の品質劣化の発生が防止される。また、加工時に使用するエネルギーの損失が少なくなるので、使用される電力量を少なくすることができる。パンチやダイが高温にさらされることがないため、パンチやダイが熱負荷によるダメージを受けにくくなり、パンチやダイの製品寿命が長くなる。
【００３０】
従来の放電プラズマ加工装置では、ダイに設けられた熱電対によって温度を測定し、その測定結果に基づいてパルス電流を制御することでダイの温度を管理することとなっていたため、一般的な加熱装置の概念で使用されていたが、本発明では被加工物の状態をプラズマの光のスペクトルによって観察することができるので、ダイの温度に依存せずに加工を制御することができる。被加工物に必要なエネルギを短時間に集中的に与えることで加工の目的を達成できるので、ダイのサイズを小さくして無駄な熱の発生を抑えることで、遮熱、断熱のための空間は少なく済むようになり、真空容器の小型化が可能となる。
【００３１】
本発明によれば、真空容器のサイズを小さくすることができるため、放電プラズマ加工装置全体が小さなものになり、熱損失を小さくすることができる。また、小型化により、放電プラズマ加工装置のコストを下げることができる。
【００３２】
本実施の形態で示したように、加圧部は、被加工物５を挟み込む２つのパンチ２ａ，２ｂと、２つのパンチ２ａ，２ｂおよび被加工物５を取り囲むダイ３とを含み、パルス電流印加部は２つのパンチ２ａ，２ｂの間にパルス電流を印加することが好ましい。この構成であれば、加圧とパルス電流の印加とを同じ部材によって行なうことができるので、装置の部品点数を抑えることができる。
【００３３】
本実施の形態で示したように、ダイ３は、一部が被加工物５に対向する内側の面と、この内側の面に対向する外側の面とを有し、ダイ３には、内側の面における被加工物５に対向する部分と外側の面とを接続する貫通孔１３が設けられていることが好ましい。この構成であれば、光の直進性を利用して、受光する部材すなわち光ファイバ９などを容易に配置することができる。
【００３４】
なお、被加工物５が粉体である場合には、ダイ３は単結晶シリコン、石英、サファイアなどの赤外線を透過する材料からなり、貫通孔が設けられていないことが好ましい。被加工物５が粉体である場合にダイに貫通孔が設けられていると、加工時における真空容器１の内部の真空引きによって粉体である被加工物５の一部が貫通孔からダイの外部に出てしまうことになる。そのため、被加工物５が粉体である場合には、ダイ３は、パルス電流の印加によって発生するプラズマの光を透過する材料、すなわち、単結晶シリコン、石英、サファイアなどの赤外線を透過する材料からなり、貫通孔が設けられていないことが好ましい。この構成であれば、被加工物５が粉体であっても問題なく加工することができる。
【００３５】
本実施の形態で示したように、検出部は、光ファイバ９と分光器１０とを含むことが好ましい。この構成であれば、貫通孔１３の開口部の面積が小さいなどの理由により光が通過する部分が狭くても、パルス電流を印加することにより発生するプラズマの光は、光ファイバ９によって受光され、分光器１０によって検出される。
【００３６】
なお、検出部は、光ファイバ９と分光器１０とを含むものに代えて、ＣＣＤ（Charge  Coupled  Device）素子とレンズフィルタとを含むものであってもよい。検出されるべきプラズマの光は、９００ｎｍ前後に波長のピークを有するものである。一般使用されているＣＣＤ素子では広範囲の波長域の光を信号として取り込むため、特定波長の検出ができないが、たとえば９００〜１１００ｎｍの波長域の光だけを透過するレンズフィルタとＣＣＤ素子とを組み合わせることによって、分光器の代用とすることができる。分光器は一般的に高価であるが、ＣＣＤ素子およびレンズフィルタによって代用すれば設備費用を抑えることができる。
【００３７】
なお、本発明の放電プラズマ加工装置は、被加工物の近傍の温度を測定するために、熱電対などの熱検出部を備えていてもよい。熱検出部による温度測定結果は、被加工物の近傍の温度の異常な変化を検出するために利用されることが好ましい。従来技術に基づく放電プラズマ加工装置には、通常、被加工物の近傍の温度を測定するためにダイに熱電対が設けられているが、そのような熱電対などの熱検出部は、本発明においても備えることが好ましい。熱検出部を備えていることによって、温度の異常な変化があった場合、早期に発見し、必要な措置を採ることができる。
【００３８】
以下に、発明者が実際に加工を行なったいくつかの例について説明する。
（実施例１）
図１に示した放電プラズマ加工装置１０１にさらに熱検出部を設けた放電プラズマ加工装置を用いて、パンチ２ａ，２ｂ間に被加工物を配置し、パンチ２ａ，２ｂで加圧しながらパルス電流を印加して、被加工物を加工した。ただし、ここでいう熱検出部は、ダイ３に設けられた熱電対である。
【００３９】
本実施例における被加工物は、直径１４．５ｍｍ、厚み３ｍｍの単結晶ゲルマニウム（Ｇｅ）であり、これを所望の形状に変形させるものとする。パルス電流は、電流値を０からスタートして一定のペースで増していくものとした。パルス電流の印加を開始しても即座にプラズマが発生するわけではないが、パルス電流の電流値を増していくと、いずれかの時点からプラズマが発生する。発生するプラズマの光のスペクトルを、光ファイバ９および分光器１０によって検出する。パルス電流の電流値を増していく途中で、初めてプラズマの光のスペクトルが検出された時点で、その時点のパルス電流の電流値を保持し、以降は、一定の電流値のパルス電流を印加する。被加工物の加圧に関しては、パルス電流の電流値の保持開始２分後から毎分０．２ｋＮの昇圧速度で３ｋＮまで行なった。なお、ダイ３に設けられた熱電対は、被加工物の近傍の温度の異常上昇やプログラム制御器との異常差異などの検出用に使用した。
【００４０】
比較のため、同じ条件の被加工物に対して、図７に示す従来技術に基づく放電プラズマ加工装置９０１を用いて加工を行なった例を比較例１とする。図３は、比較例１における圧力、温度、電流、および変位量の変化を示すグラフである。一方、図４は、実施例１における圧力、温度、電流、および変位量の変化を示すグラフである。
【００４１】
比較例１は、熱電対によって被加工物の加工中の温度を測定しながらパルス電流を制御する方法であり、６００℃で１５分間保持していた。比較例１に対応する図３と実施例１に対応する図４とを比較すると、実施例１では最高到達温度が５３０℃であり、比較例１よりも低い温度で加工を行なっているにもかかわらず、被加工物の変形量は実施例１と比較例１とで同じであることが分かる。
【００４２】
従来技術では、被加工物の変形開始の要件を雰囲気温度と考え、ダイに設けられた熱電対によって測定された温度を雰囲気温度とみなすため、昇温のためのパルス電流と設定温度到達後の放熱を補うためのパルス電流を必要とする。一方、本発明では、被加工物の変形開始の要件を、パルス電流を印加することにより発生するプラズマの光のスペクトルの発生と考えるため、パルス電流は一定値でよい。本発明に基づく実施例１は、従来技術に基づく比較例１に比べて消費電力を２３．７％削減できた。
【００４３】
本発明に基づく実施例１では、４７０℃〜５３０℃で被加工物が変形しており、従来技術に基づく比較例１の加工温度である６００℃に比べて７０℃〜１３０℃低い温度で被加工物を加工することができた。これは、プラズマの光のスペクトルを検出するという新しい判断指標によって実現されている。
【００４４】
（実施例２）
実施例１と同様に、図１に示した放電プラズマ加工装置１０１にさらに熱検出部を設けた放電プラズマ加工装置を用いて、被加工物を加工した。本実施例における被加工物は、チタン酸バリウムの粉末である。これを直径１５ｍｍ、厚み３ｍｍの円板形状に焼結するように加工した。
【００４５】
パンチ２ａ，２ｂの間に被加工物であるチタン酸バリウムの粉末を充填し、パンチ２ａ，２ｂで４０ＭＰａの圧力で加圧しながらパルス電流を印加した。パルス電流は、実施例１と同様に、電流値を０からスタートして一定のペースで増していくものとした。実施例１と同様に、パルス電流の印加によっていずれかの時点で発生するプラズマの光のスペクトルを光ファイバ９および分光器１０によって検出し、その時点のパルス電流の電流値を以後３分間保持した。なお、ダイ３に設けられた熱電対は、被加工物の近傍の温度の異常上昇やプログラム制御器との異常差異などの検出用に使用した。
【００４６】
比較のため、同じ条件の被加工物に対して、図７に示す従来技術に基づく放電プラズマ加工装置９０１を用いて加工を行なった例を比較例２とする。図５は、比較例２における圧力、温度、電流、および変位量の変化を示すグラフである。一方、図６は、実施例２における圧力、温度、電流、および変位量の変化を示すグラフである。
【００４７】
比較例２は、熱電対によって被加工物の加工中の温度を測定しながらパルス電流を制御する方法であり、１１００℃で３分間保持していた。変位量のプロファイルは、膨張収縮曲線にほぼ近いものである。比較例２と実施例２との間で、変位量のプロファイルに大差はなく、焼成物の相対密度は比較例２では９５．４％、実施例２では９５．２％であった。すなわち、本発明によっても従来技術と同レベルの製品が得られることがわかった。
【００４８】
一般的にセラミック材料の焼成においては、粉体を保持するもの、たとえば匣鉢などの炉材も一体と考えて均一温度に保持することが常識とされてきたが、本発明ではそのような常識に捉われず、パルス電流を印加することにより発生するプラズマの光のスペクトルを検出した時点の電流値を保持することで従来技術と同レベルの焼結状態が得られる。本発明に基づく実施例２では、従来技術に基づく比較例２に比べて消費電力を２６．６％削減できた。実施例２の結果は、必要以上に粉体を保持するもの、たとえば匣鉢などの炉材を昇温する必要がないことを示している。
【００４９】
（実施の形態２）
本発明に基づく実施の形態２における放電プラズマ加工品の製造方法について説明する。本実施の形態における放電プラズマ加工品の製造方法は、被加工物に対する加圧を開始する工程と、被加工物に対してパルス電流の印加を開始する工程と、パルス電流の印加によって発生するプラズマの光のスペクトルを検出する工程と、検出する工程による検出結果によってパルス電流を制御する工程とを含む。
【００５０】
本実施の形態では、パルス電流を印加することにより発生するプラズマの光のスペクトルを検出することによって、パルス電流の制御が行なわれるので、被加工物を加工する際に過剰な高温とすることなく、加工に最適な温度となった状態で被加工物の加工を行なうことができる。この製造方法は、実施の形態１で説明した放電プラズマ加工装置によって実施することができる。
【００５１】
パルス電流の印加を開始する工程の前に、被加工物を２つのパンチで挟み込むようにして、２つのパンチおよび被加工物をダイの内部に配置する工程を含み、パルス電流の印加を開始する工程では、２つのパンチの間にパルス電流を印加することが好ましい。この方法であれば、加圧とパルス電流の印加とを同じ部材によって行なうことができるので、使用する部品点数を抑えることができる。
【００５２】
ダイは、一部が被加工物に対向する内側の面と、この内側の面に対向する外側の面とを有し、ダイには内側の面における被加工物に対向する部分と外側の面とを接続する貫通孔が設けられていることが好ましい。この方法であれば、光の直進性を利用して、受光する部材すなわち光ファイバなどを容易に配置することができる。
【００５３】
ダイは、赤外線を透過する材料からなることが好ましい。
検出する工程には、光ファイバと分光器とを用いることが好ましい。この方法であれば、光が通過する部分が狭くても、パルス電流を印加することにより発生するプラズマの光は、光ファイバによって受光され、分光器によって検出される。
【００５４】
検出する工程には、ＣＣＤ素子とフィルタレンズとを用いることが好ましい。この方法を採用することにより、安価な設備のみで特定波長の検出を行なうことができる。
【００５５】
本実施の形態における放電プラズマ加工品の製造方法は、被加工物の近傍の温度を測定する工程を含み、温度を測定する工程による測定結果は、被加工物の近傍の温度の異常な変化を検出するために利用されることが好ましい。この方法であれば、被加工物の近傍の温度の異常な変化があった場合、早期に発見し、必要な措置を採ることができる。
【００５６】
なお、上記各実施の形態では、被加工物が円柱形状や円板形状である例を示したが、被加工物は円柱形状や円板形状以外の形状であってもよい。
【００５７】
加圧部としてのパンチ２ａ，２ｂの先端の被加工物に当接する面は平面であるものとして示したが、加圧部の先端は平面とは限らない。加圧部の先端は、所望の凹凸を含む形状であってもよい。
【００５８】
なお、今回開示した上記実施の形態および実施例はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【００５９】
本発明は、放電プラズマ加工装置および放電プラズマ加工品の製造方法に利用することができる。
【符号の説明】
【００６０】
１  真空容器、２ａ，２ｂ  パンチ、３  ダイ、４  熱電対、５  被加工物、６  パルス電流発生器、７ａ，７ｂ  配線、８ａ，８ｂ  変位部、９  光ファイバ、１０  分光器、１１  窓、１２  制御部、１３  貫通孔、１０１  放電プラズマ加工装置、９０１  （従来技術に基づく）放電プラズマ加工装置。
【図１】
2014020935.tif 000003
【図２】
2014020935.tif 000004
【図３】
2014020935.tif 000005
【図４】
2014020935.tif 000006
【図５】
2014020935.tif 000007
【図６】
2014020935.tif 000008
【図７】
2014020935.tif 000009
【図８】
2014020935.tif 000010
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
被加工物を加圧する加圧部と、
前記被加工物にパルス電流を印加するパルス電流印加部と、
前記パルス電流の印加によって発生するプラズマの光のスペクトルを検出する検出部と、
前記検出部の検出結果であるスペクトルによって前記パルス電流を制御する制御部とを備える、放電プラズマ加工装置。
【請求項２】
前記加圧部は、前記被加工物を挟み込む２つのパンチと、前記２つのパンチおよび前記被加工物を取り囲むダイとを含み、
前記パルス電流印加部は前記２つのパンチの間に前記パルス電流を印加する、請求項１に記載の放電プラズマ加工装置。
【請求項３】
前記ダイは、一部が前記被加工物に対向する内側の面と、前記内側の面に対向する外側の面とを有し、前記ダイには、前記内側の面における被加工物に対向する部分と前記外側の面とを接続し、前記プラズマの光を前記検出部へと通過させるための貫通孔が設けられている、請求項２に記載の放電プラズマ加工装置。
【請求項４】
前記ダイは、赤外線を透過する材料からなる、請求項２に記載の放電プラズマ加工装置。
【請求項５】
前記検出部は、光ファイバと分光器とを含む、請求項１から４のいずれかに記載の放電プラズマ加工装置。
【請求項６】
前記検出部は、ＣＣＤ素子とレンズフィルタとを含む、請求項１から４のいずれかに記載の放電プラズマ加工装置。
【請求項７】
前記被加工物の近傍の温度を測定する熱検出部を備える、請求項１から６のいずれかに記載の放電プラズマ加工装置。
【請求項８】
被加工物に対する加圧を開始する工程と、
前記被加工物に対してパルス電流の印加を開始する工程と、
前記パルス電流の印加によって発生するプラズマの光のスペクトルを検出する工程と、
前記検出する工程による検出結果であるスペクトルによって前記パルス電流を制御する工程とを含む、放電プラズマ加工品の製造方法。
【請求項９】
前記パルス電流の印加を開始する工程の前に、前記被加工物を２つのパンチで挟み込むようにして、前記２つのパンチおよび前記被加工物をダイの内部に配置する工程を含み、
前記パルス電流の印加を開始する工程では、前記２つのパンチの間に前記パルス電流を印加する、請求項８に記載の放電プラズマ加工品の製造方法。
【請求項１０】
前記ダイは、一部が前記被加工物に対向する内側の面と、前記内側の面に対向する外側の面とを有し、前記ダイには、前記内側の面における前記被加工物に対向する部分と前記外側の面とを接続し、前記プラズマの光を前記検出部へと通過させるための貫通孔が設けられている、請求項９に記載の放電プラズマ加工品の製造方法。
【請求項１１】
前記ダイは、赤外線を透過する材料からなる、請求項９に記載の放電プラズマ加工品の製造方法。
【請求項１２】
前記検出する工程には、光ファイバと分光器とを用いる、請求項８から１１のいずれかに記載の放電プラズマ加工品の製造方法。
【請求項１３】
前記検出する工程には、ＣＣＤ素子とフィルタレンズとを用いる、請求項８から１１のいずれかに記載の放電プラズマ加工品の製造方法。
【請求項１４】
前記被加工物の近傍の温度を測定する工程を含み、
前記温度を測定する工程による測定結果は、前記被加工物の近傍の温度の異常な変化を検出するために利用される、請求項８から１３のいずれかに記載の放電プラズマ加工品の製造方法。
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
被加工物を加圧する加圧部と、
前記被加工物にパルス電流を印加するパルス電流印加部と、
前記パルス電流の印加によって発生するプラズマの光のスペクトルを検出する検出部と、
前記検出部の検出結果であるスペクトルによって前記パルス電流を制御する制御部とを備える、放電プラズマ加工装置。
【請求項２】
前記加圧部は、前記被加工物を挟み込む２つのパンチと、前記２つのパンチおよび前記被加工物を取り囲むダイとを含み、
前記パルス電流印加部は前記２つのパンチの間に前記パルス電流を印加する、請求項１に記載の放電プラズマ加工装置。
【請求項３】
前記ダイは、一部が前記被加工物に対向する内側の面と、前記内側の面に対向する外側の面とを有し、前記ダイには、前記内側の面における被加工物に対向する部分と前記外側の面とを接続し、前記プラズマの光を前記検出部へと通過させるための貫通孔が設けられている、請求項２に記載の放電プラズマ加工装置。
【請求項４】
前記ダイは、赤外線を透過する材料からなる、請求項２に記載の放電プラズマ加工装置。
【請求項５】
前記検出部は、光ファイバと分光器とを含む、請求項１から４のいずれかに記載の放電プラズマ加工装置。
【請求項６】
前記検出部は、ＣＣＤ素子とレンズフィルタとを含む、請求項１から４のいずれかに記載の放電プラズマ加工装置。
【請求項７】
前記被加工物の近傍の温度を測定する熱検出部を備える、請求項１から６のいずれかに記載の放電プラズマ加工装置。
【請求項８】
被加工物に対する加圧を開始する工程と、
前記被加工物に対してパルス電流の印加を開始する工程と、
前記パルス電流の印加によって発生するプラズマの光のスペクトルを検出する工程と、
前記検出する工程による検出結果であるスペクトルによって前記パルス電流を制御する工程とを含む、放電プラズマ加工品の製造方法。
【請求項９】
前記パルス電流の印加を開始する工程の前に、前記被加工物を２つのパンチで挟み込むようにして、前記２つのパンチおよび前記被加工物をダイの内部に配置する工程を含み、
前記パルス電流の印加を開始する工程では、前記２つのパンチの間に前記パルス電流を印加する、請求項８に記載の放電プラズマ加工品の製造方法。
【請求項１０】
前記ダイは、一部が前記被加工物に対向する内側の面と、前記内側の面に対向する外側の面とを有し、前記ダイには、前記内側の面における前記被加工物に対向する部分と前記外側の面とを接続し、前記プラズマの光を通過させるための貫通孔が設けられている、請求項９に記載の放電プラズマ加工品の製造方法。
【請求項１１】
前記ダイは、赤外線を透過する材料からなる、請求項９に記載の放電プラズマ加工品の製造方法。
【請求項１２】
前記検出する工程には、光ファイバと分光器とを用いる、請求項８から１１のいずれかに記載の放電プラズマ加工品の製造方法。
【請求項１３】
前記検出する工程には、ＣＣＤ素子とフィルタレンズとを用いる、請求項８から１１のいずれかに記載の放電プラズマ加工品の製造方法。
【請求項１４】
前記被加工物の近傍の温度を測定する工程を含み、
前記温度を測定する工程による測定結果は、前記被加工物の近傍の温度の異常な変化を検出するために利用される、請求項８から１３のいずれかに記載の放電プラズマ加工品の製造方法。
【国際調査報告】
2014020935.tif 000011
2014020935.tif 000012
2014020935.tif 000013
2014020935.tif 000014